(57)【要約】  本実施例の内燃機関の制御装置は、冷却水が循環する経路上に設けられ冷却水が内部を流通することにより内燃機関の排気を冷却する冷却装置４０Ｌ、４０Ｒと、排気の熱量を推定し、推定された排気の熱量に応じて、アイドルストップ制御を禁止の可否を決定するＥＣＵ７Ｌ、７Ｒと、を備えている。
2010119544.tif 000002
【特許請求の範囲】
【請求項１】
冷却水が循環する経路上に設けられ前記冷却水が内部を流通することにより内燃機関の排気を冷却する冷却装置と、
前記排気の熱量を推定する推定部と、
推定された前記排気の熱量に応じて、アイドルストップ制御を禁止の可否を決定する制御部と、を備えた内燃機関の制御装置。
【請求項２】
前記制御部は、前記推定された排気の熱量が判定値を超えた場合に、前記アイドルストップ制御を禁止する、請求項１の内燃機関の制御装置。
【請求項３】
前記制御部は、前記推定された排気の熱量が判定値を超えた期間に応じて、アイドル運転時の前記内燃機関の目標回転数を設定する、請求項１の内燃機関の制御装置。
【請求項４】
前記制御部は、前記推定された排気の熱量が判定値を超えた期間と、前記推定された排気の熱量が前記判定値未満となった期間とに応じて、前記アイドルストップ制御の禁止の可否を決定する、請求項１の内燃機関の制御装置。
【発明の詳細な説明】
【技術分野】
【０００１】
本発明は内燃機関の制御装置に関する。
【背景技術】
【０００２】
内燃機関の排気を冷却する冷却装置がある。冷却装置としては、内燃機関の排気ポートと排気マニホールドとの間に設けられているものや、排気マニホールド周囲に設けられているものがある（特許文献１参照）。冷却装置内部に冷却水が流通することにより、排気が冷却される。
【先行技術文献】
【特許文献】
【０００３】
【特許文献１】特開昭６３−２０８６０７号公報
【発明の概要】
【発明が解決しようとする課題】
【０００４】
このような冷却装置は、冷却水が流通する経路上に配置されている。冷却水は、機械式のポンプによりその経路を循環する。また、このような冷却装置は排気の熱量の一部が蓄熱される。内燃機関がアイドルストップ制御されると、ポンプも停止し冷却水は循環しなくなる。このため、冷却装置に蓄熱された熱量が冷却水へと伝達されて、冷却水が沸騰する恐れがある。【０００５】
本発明の目的は、冷却水の沸騰を抑制する内燃機関の制御装置を提供することである。
【課題を解決するための手段】
【０００６】
上記目的は、冷却水が循環する経路上に設けられ前記冷却水が内部を流通することにより内燃機関の排気を冷却する冷却装置と、前記排気の熱量を推定する推定部と、推定された前記排気の熱量に応じて、アイドルストップ制御を禁止の可否を決定する制御部と、を備えた内燃機関の制御装置によって達成できる。これにより、例えば排気の熱量が多い場合にはアイドルストップ制御を禁止することにより、冷却水を循環させるポンプの作動が継続され、冷却水を循環させ、冷却装置に蓄熱された熱量に起因して冷却水が沸騰することを防止できる。
【発明の効果】
【０００７】
本発明によれば、冷却水の沸騰を抑制する内燃機関の制御装置を提供できる。
【図面の簡単な説明】
【０００８】
【図１】図１は、内燃機関の制御装置の説明図である。
【図２】図２は、冷却水の経路を示した図である。
【図３】図３は、ＥＣＵが実行する制御の一例を示したフローチャートである。
【図４】図４は、排気ガス温度を算出するためのマップである。
【図５】図５は、ＥＣＵが実行する制御を説明するためのタイミングチャートである。
【図６】図６は、ＥＣＵが実行する制御を説明するためのタイミングチャートである。
【図７】図７は、ＥＣＵが実行する制御の一例を示したフローチャートである。
【図８】図８は、目標アイドル回転数を算出するためのマップである。
【図９】図９は、実施例３の内燃機関の制御装置の冷却水の経路の説明図である。
【図１０】図１０は、ＥＣＵが実行する制御の一例を示したフローチャートである。
【図１１】図１１は、ファンの作動期間を算出するためのマップである。
【図１２】図１２は、ＥＣＵが実行する制御の一例を示したフローチャートである。
【発明を実施するための形態】
【０００９】
以下、図面を参照して複数の実施例について説明する。
【実施例１】
【００１０】
図１は、内燃機関の制御装置の説明図である。エンジン１０は、一対のバンク１２Ｌ、１２Ｒを有している。バンク１２Ｌ、１２Ｒは、互いに傾けて配置されている。エンジン１０は、いわゆるＶ型エンジンである。バンク１２Ｌには３つの気筒１４Ｌからなる気筒群を有している。バンク１２Ｒにも同様に気筒１４Ｒを有している。【００１１】
また、バンク１２Ｌには、気筒１４Ｌ内に直接燃料を噴射する燃料噴射弁１５Ｌが設けられている。同様に、バンク１２Ｒにも、気筒１４Ｒ内に直接燃料を噴射する燃料噴射弁１５Ｒが設けられている。バンク１２Ｌに対しては吸気通路４Ｌ及び排気マニホールド５Ｌが接続され、バンク１２Ｒに対しては吸気通路４Ｒ及び排気マニホールド５Ｒが接続されている。吸気通路４Ｌ、４Ｒは、上流側で合流しており、合流した箇所には吸入空気量を調整するためのスロットル弁６、吸入空気量を検出するエアフロメータ１８が設けられている。【００１２】
排気マニホールド５Ｌ、５Ｒの下端部には、それぞれ触媒２０Ｌ、２０Ｒが設けられている。触媒２０Ｌ、２０Ｒは、それぞれバンク１２Ｌ、１２Ｒ側の気筒から排出された排気を浄化する。排気マニホールド５Ｌ、５Ｒには、それぞれ空燃比センサ９Ｌ、９Ｒが取り付けられている。【００１３】
バンク１２Ｌの排気ポート（不図示）と排気マニホールド５Ｌとの間には、冷却装置４０Ｌが設けられている。同様に、バンク１２Ｒの排気ポート（不図示）と排気マニホールド５Ｒとの間には、冷却装置４０Ｒが設けられている。【００１４】
冷却装置４０Ｌ、４０Ｒは、それぞれ排気マニホールド５Ｌ、５Ｒの管の周囲を冷却水が流れるように構成されている。冷却装置４０Ｌ、４０Ｒについては詳しくは後述する。【００１５】
スロットル弁６の開度は、ＥＣＵ（Ｅｌｅｃｔｒｏｎｉｃ  Ｃｏｎｔｒｏｌ  Ｕｎｉｔ）７Ｌ、７Ｒにより、バンク１２Ｌ、１２Ｒ毎に個別に制御される。また、燃料噴射弁１５Ｌ、１５Ｒから噴射される燃料量も、ＥＣＵ７Ｌ、７Ｒにより個別に制御される。ＥＣＵ７Ｌ、７Ｒは、燃料噴射弁１５Ｌ、１５Ｒから噴射される燃料をカットすることができる。ＥＣＵ７Ｌ、７Ｒは、詳しくは後述するが、推定部、制御部に相当する。ＥＣＵ７Ｌ、７Ｒは通信回線８を介して双方向に通信可能である。通信回線８を介して情報を交換することにより、ＥＣＵ７Ｌ、７Ｒは、担当するバンクの運転制御のために、他のバンクの運転状態に関する情報を参照可能である。【００１６】
また、空燃比センサ９Ｌ、９Ｒは、排気の空燃比に応じた検出信号をそれぞれＥＣＵ７Ｌ、７Ｒに出力する。ＥＣＵ７Ｌ、７Ｒは、それぞれ空燃比センサ９Ｌ、９Ｒからの出力に基づいて、それぞれ気筒１４Ｌ、１４Ｒへの燃料噴射量を制御することにより、空燃比をフィードバック制御する。フィードバック制御とは、検出された排気の空燃比が目標空燃比となるように燃料噴射量などを制御することである。【００１７】
水温センサ５２は、後述する冷却水の温度に応じた検出信号をＥＣＵ７Ｌに出力する。尚、水温センサ５２は、冷却水が循環する経路上の任意の位置におかれる。車速センサ５４は、車両の速度に応じた検出信号をＥＣＵ７Ｌに出力する。シフトポジションセンサ５６は、シフトレバー（不図示）の位置に応じた検出信号をＥＣＵ７Ｌに出力する。ブレーキスイッチ５８は、ブレーキペダル（不図示）のオン、オフ信号をＥＣＵ７Ｌに出力する。【００１８】
ＥＣＵ７Ｌ、７Ｒは、アイドルストップ制御を実行可能である。アイドルストップ制御とは、次のような制御である。ＥＣＵ７Ｌ、７Ｒは、車速センサ５４から車速と、シフトポジションセンサ５６からのシフトレバーの位置と、ブレーキスイッチ５８からの信号と、に基づいて、車速が０であり、シフトレバーの位置がニュートラルであり、かつブレーキスイッチ５８がオン状態にあると判断したときは、エンジン１０を停止させる。【００１９】
一方、エンジン１０が停止された後、ＥＣＵ７Ｌ、７Ｒは、シフトポジションセンサ５６からのシフトレバーの位置と、ブレーキスイッチ５８からの信号とに基づいて、シフト位置がドライブＤにある、又はブレーキスイッチ５８がオフ状態にあると判断したとき、エンジン１０を始動させる。このようなアイドルストップ制御により、燃料消費量が低減される。【００２０】
図２は、冷却水の経路を示した図である。図２に示すように、冷却水の経路上には、ラジエータ７２、インレット７４、ポンプ７６などが配置されている。主経路８２は、インレット７４、ポンプ７６、エンジン１０、ラジエータ７２の順に冷却水を循環させる。主経路８２は、エンジン１０のリアジョイント部１９からラジエータ７２に冷却水を循環させる。補助経路８８は、インレット７４、ポンプ７６、エンジン１０、冷却装置４０Ｌ、４０Ｒ、Ｖバンクパイプ６０の順に冷却水を循環させる。補助経路８８は、リアジョイント部１９から分岐して、それぞれ冷却装置４０Ｌ、４０Ｒ内に冷却水を流通させる分岐経路８６Ｌ、８６Ｒを含む。【００２１】
ポンプ７６は、エンジン１０の回転に連動して作動する機械式ポンプである。冷却水は、インレット７４からエンジン１０へと流れる。冷却水は、まずエンジン１０のブロック側ウォータジャケット１１ｗに流入し、次に、ヘッド側ウォータジャケット１２Ｌｗ、１２Ｒｗに流入する。ヘッド側ウォータジャケット１２Ｌｗ、１２Ｒｗから排出された冷却水は、リアジョイント部１９で合流する。リアジョイント部１９には、主経路８２と補助経路８８とが連結されている。主経路８２を流れる冷却水は、リアジョイント部１９からラジエータ７２に流れ、ラジエータ７２で冷却水は放熱する。【００２２】
分岐経路８６Ｌには、冷却装置４０Ｌが配置されている。冷却装置４０Ｌ内に冷却水が流通する。冷却装置４０Ｌ内に冷却水が流通することにより、バンク１２Ｌの気筒１４Ｌから排出された排気の温度を低下させることができる。分岐経路８６Ｒ、冷却装置４０Ｒについても同様である。【００２３】
図３は、ＥＣＵ７Ｌ、７Ｒが実行する制御の一例を示したフローチャートである。
ＥＣＵ７Ｌ、７Ｒは、水温センサ５２からの出力に基づいて、冷却水温を検出する（ステップＳ１）。尚、水温センサ５２からの出力によらずに、公知の方法により冷却水温を推定してもよい。【００２４】
次に、ＥＣＵ７Ｌ、７Ｒは、排気ガス温度、及び排気ガス量を算出する（ステップＳ２）。排気ガス温度は、例えば、図４に示したマップに基づいて算出される。図４は、排気ガス温度を算出するためのマップであり、ＥＣＵ７Ｌ、７Ｒに予め記憶されている。図４に示すように、縦軸はエンジン１０の回転数を示しており、横軸はエンジン１０の負荷を示している。エンジン１０の回転数、負荷が大きいほど、排気ガス温度は高いものとして算出される。排気ガス温度は、センサを用いて検出してもよい。【００２５】
また、排気ガス量（ｇ／ｓｅｃ）は、エアフロメータ１８からの出力に基づいて検出された吸入空気量と、空燃比センサ９Ｌ、９Ｒからの出力に基づいて検出された空燃比とに基づいて、算出される。排気ガス量は、その他公知の方法により検出、又は算出してもよい。【００２６】
次に、ＥＣＵ７Ｌ、７Ｒは、排気ガスの熱量Ｐを推定する（ステップＳ３）。具体的には、以下の式により推定する。【００２７】
Ｐ＝Ｍ＊Ｃｐ＊（Ｔｅｘ−Ｔａｉｒ）・・・（１）【００２８】
Ｍは、排気ガス量を示し、Ｃｐは排気ガスの比熱を示し、Ｔｅｘは、排気ガス温度を示し、Ｔａｉｒが外気温度を示している。ステップＳ２において算出された、排気ガス量、排気ガス温度をそれぞれ、Ｍ、Ｔｅｘに代入して熱量Ｐを算出する。また、外気温は、公知の温度センサを用いて検出してもよいし、その他公知の方法により推定又は算出してもよい。【００２９】
次に、ＥＣＵ７Ｌ、７Ｒは、冷却水温が判定値Ｄ１を超えているか否かを判定する（ステップＳ４）。超えている場合には、ＥＣＵ７Ｌ、７Ｒは、排気ガスの熱量が判定値Ｄ２を超えているか否かを判定する（ステップＳ５）。ここでの排気ガスの熱量は、ステップＳ３において算出された熱量である。超えている場合には、ＥＣＵ７Ｌ、７Ｒは、前回の第１カウンタ値Ｔ１に１加算した値を、今回の第１カウンタ値Ｔ１とする（ステップＳ６）。第１カウンタ値Ｔ１とは、排気ガスの熱量が判定値Ｄ２を超えた期間を計測するために用いられる値である。【００３０】
次に、ＥＣＵ７Ｌ、７Ｒは、第１カウンタ値Ｔ１が判定値Ｄ３を超えているか否かを判定する（ステップＳ７）。超えている場合には、ＥＣＵ７Ｌ、７Ｒは、アイドルストップ制御を禁止するアイドルストップ禁止フラグをＯＮにする（ステップＳ８）。アイドルストップ制御を禁止することにより、アイドルストップ制御の実行に伴う冷却水の循環の停止を防止し、これにより、冷却装置４０Ｌ、４０Ｒに蓄熱された熱量に起因した冷却水の沸騰を防止するためである。また、第１カウンタ値Ｔ１がＤ３を超える場合には、排気ガスの熱量がＤ２を超えた期間が比較的長いものと推定される。このような場合には、冷却装置４０Ｌ、４０Ｒに蓄熱された熱量も比較的大きいものと推定される。【００３１】
ステップＳ７において、第１カウンタ値Ｔ１が判定値Ｄ３未満の場合には、ＥＣＵ７Ｌ、７Ｒは、アイドルストップ禁止フラグをオフにする（ステップＳ２３）。この場合には、冷却装置４０Ｌ、４０Ｒに蓄熱された熱量も比較的少ないものと推定され、アイドルストップ制御が実行された場合であっても冷却水は沸騰しないと推定されるからである。【００３２】
ステップＳ４において、冷却水温が判定値Ｄ１未満の場合、ＥＣＵ７Ｌ、７Ｒは、アイドルストップ禁止フラグをオフにする（ステップＳ２３）。冷却水温が、ある程度低い場合には、アイドルストップ制御が実行された場合であっても、冷却装置４０Ｌ、４０Ｒに蓄熱された熱量により冷却水が沸騰するまで高温になるおそれは少ないからである。【００３３】
ステップＳ５において、排気ガスの熱量が判定値Ｄ２未満の場合、ＥＣＵ７Ｌ、７Ｒは、アイドルストップ禁止フラグがオンであるか否かを判定する（ステップＳ２０）。否定判定の場合には、ＥＣＵ７Ｌ、７Ｒは、ステップＳ２３を実行する。肯定判定の場合、ＥＣＵ７Ｌ、７Ｒは、前回の第２カウンタ値Ｔ２に１加算したものを今回の第２カウンタ値Ｔ２として算出する（ステップＳ２１）。第２カウンタ値Ｔ２とは、排気ガスの熱量が判定値Ｄ２未満である期間を計測するために用いられる。【００３４】
次に、ＥＣＵ７Ｌ、７Ｒは、第２カウンタ値Ｔ２が判定値Ｄ４を超えているか否かを判定する（ステップＳ２２）。第２カウンタ値Ｔ２が判定値Ｄ４を超えている場合には、ＥＣＵ７Ｌ、７Ｒは、ステップＳ２３を実行する。この場合には、冷却装置４０Ｒ、４０Ｌに蓄熱された熱量は少ないと推定されるからである。第２カウンタ値Ｔ２が判定値Ｄ４未満の場合、ＥＣＵ７Ｌ、７Ｒは、アイドルストップ禁止フラグをオンにする（ステップＳ８）。この場合には、冷却装置４０Ｒ、４０Ｌに蓄熱された熱量はまだ充分にあるものと推定されるからである。第２カウンタ値Ｔ２は、排気ガスの熱量が判定値Ｄ２未満の期間と対応している。従って、推定された排気の熱量が判定値Ｄ２未満の期間と、推定された排気の熱量が判定値Ｄ２を超えた期間とに応じて、アイドルストップ制御の禁止の可否が決定される。即ち、推定された排気の熱量が判定値Ｄ２未満の期間と、推定された排気の熱量が判定値Ｄ２を超えた期間とに応じて、アイドルストップ制御の禁止の可否が決定される。これにより、エンジン１０の運転状態を考慮して、アイドルストップ制御の禁止の可否が決定される。【００３５】
以上のように、ＥＣＵ７Ｌ、７Ｒは、排気ガスの熱量を推定し、推定された熱量に応じて、アイドルストップ制御の禁止の可否が決定する。これにより、排気の熱量が高い場合には、アイドルストップ制御を禁止し、ポンプ７６を継続的に作動させて冷却水を循環させる。よって、冷却装置４０Ｌ、４０Ｒに蓄熱された熱量に起因して冷却水が沸騰することを防止できる。【００３６】
次に、ＥＣＵ７Ｌ、７Ｒが実行する制御についてタイミングチャートにより説明する。図５、図６は、ＥＣＵ７Ｌ、７Ｒが実行する制御を説明するためのタイミングチャートである。尚、図５、図６には、排気ガスの熱量Ｐ、車速、エンジン１０の回転数、冷却装置４０Ｌ、４０Ｒの温度Ｔｃ、冷却水の温度Ｔｗを示している。尚、冷却水の温度Ｔｗは、冷却装置４０Ｌ、４０Ｒ周辺での冷却水の温度を示している。【００３７】
図５は、アイドルストップが禁止される場合のタイミングチャートである。例えば、車両が坂道などを上り、継続して高回転高負荷運転が実行されると、排気ガスの熱量Ｐは上昇して、判定値Ｄ２を超える。熱量Ｐが判定値Ｄ２を超えた期間に相当する第１カウンタ値Ｔ１が、判定値Ｄ３を超えると、アイドルストップ禁止フラグがオンになる。アイドルストップ禁止フラグがオンの状態で、車速がゼロになり停車した場合には、アイドルストップ制御は実行されずにアイドル運転が行われる。アイドル運転が行われた際の冷却装置４０Ｌ、４０Ｒの温度Ｔｃを２００℃とすると、アイドル運転の実行により排気ガスの熱量Ｐは急激に低下し、冷却装置４０Ｌ、４０Ｒの温度Ｔｃも、２００℃から徐々に低くなる。また、アイドル運転が実行されることにより、エンジン１０の回転数は低回転で回転し続け、これに伴いポンプ７６も作動が継続されて、冷却水の循環が継続される。これにより、冷却水の温度Ｔｗは、車両の停車前後で大きく変化することなく９０℃程度を維持する。このようにして、冷却装置４０Ｌ、４０Ｒに蓄熱された熱量に起因して冷却水が沸騰することが防止できる。【００３８】
排気ガスの熱量が高熱の場合にアイドルストップ制御が実行された場合を想定する。この場合にはポンプ７６が停止するので、冷却水は循環せずに冷却装置４０Ｌ、４０Ｒ内、又は冷却装置４０Ｌ、４０Ｒ周辺に滞留した冷却水が、冷却装置４０Ｌ、４０Ｒに蓄熱された熱量に起因して沸騰する恐れがある。しかしながら、本実施例においては、所定の条件下でアイドルストップ制御が禁止されてアイドル運転が実行されるため、冷却装置４０Ｌ、４０Ｒに蓄熱された熱量が低下するまで冷却水は循環される。これにより、冷却水が沸騰する恐れを防止できる。【００３９】
次に、アイドルストップ制御が実行される場合いについて説明する。図６は、アイドルストップ制御が実行される場合のタイミングチャートである。図６に示すように、排気ガスの熱量Ｐが判定値Ｄ２を超えてその後に判定値Ｄ２未満となって停車した場合、熱量Ｐが判定値Ｄ２未満となった期間に対応した第２カウンタ値Ｔ２が判定値Ｄ４を超えている場合にはアイドルストップ制御が実行される。これにより、エンジン１０が停止しポンプ７６の作動も停止する。しかしながら、アイドルストップが実行される直前での排気ガスの熱量Ｐは、比較的小さいため、冷却装置４０Ｌ、４０Ｒに蓄熱された熱量も小さい。このため、アイドルストップ制御を実行した場合であっても、冷却水の温度上昇は僅かである。従って、このような場合には、アイドルストップ制御を実行しても冷却水は沸騰しない。アイドルストップ制御を実行することにより燃料消費量を抑制することができる。
【実施例２】
【００４０】
次に、実施例２の内燃機関の制御装置のＥＣＵ７Ｌ、７Ｒが実行する制御について説明する。図７は、ＥＣＵ７Ｌ、７Ｒが実行する制御の一例を示したフローチャートである。実施例２の内燃機関の制御装置は、図１、図２に示した実施例１の内燃機関の制御装置と同様の構成である。【００４１】
ＥＣＵ７Ｌ、７Ｒは、ステップＳ１〜Ｓ８まで実行すると、アイドル運転時の目標アイドル回転数を算出する（ステップＳ９）。図８は、目標アイドル回転数を算出するためのマップである。図８のマップは、ＥＣＵ７Ｌ又は７ＲのＲＯＭに予め記憶されている。図８のマップは、縦軸は目標アイドル回転数、横軸は第１カウンタ値Ｔ１を示している。第１カウンタ値Ｔ１が大きいほど、目標アイドル回転数は大きくなる。例えば、第１カウンタ値Ｔ１が、１０００、２０００、３０００、４０００の場合には、アイドル回転数は、それぞれ、７００、１０００、１４００、１８００（ｒｐｍ）に設定される。【００４２】
第１カウンタ値Ｔ１は、前述したように、排気ガスの熱量が判定値Ｄ２を超えた期間に相当するものであるから、第１カウンタ値Ｔ１が大きいほど、冷却装置４０Ｌ，４０Ｒに蓄熱された熱量が大きいものと推定できる。従って、ＥＣＵ７Ｌ、７Ｒは、冷却装置４０Ｌ、４０Ｒに蓄熱された熱量が大きいほど、目標アイドル回転数は大きく設定する。目標アイドル回転数は大きいほど、ポンプ７６によって循環される冷却水の流速が増大する。従って、冷却装置４０Ｌ、４０Ｒに蓄熱された熱量が大きいほど、アイドル運転時での冷却水の流速は増大することになる。これにより、冷却装置４０Ｌ、４０Ｒに蓄熱された熱量が大きい場合であっても、冷却水の沸騰を防止すると共に、早期に冷却装置４０Ｌ、４０Ｒの温度を低下させることができる。
【実施例３】
【００４３】
次に、実施例３の内燃機関の制御装置について説明する。
図９は、実施例３の内燃機関の制御装置の冷却水の経路の説明図である。図９に示すように、実施例３の内燃機関の制御装置には、ラジエータ７２を冷却するためのラジエータファン（以下、ファンと称する）７３ａが設けられている。ファン７３ａは、モータ７３ｂによって作動する。モータ７３ｂは、ＥＣＵ７Ｌからの指令に応じて作動する。ファン７３ａにより、ラジエータ７２での冷却水の放熱が促進される。ファン７３ａは、車両走行時においては停止している。走行時においては、走行風によりラジエータ７２での冷却水の放熱が促進される。【００４４】
図１０は、ＥＣＵ７Ｌ、７Ｒが実行する制御の一例を示したフローチャートである。
ＥＣＵ７Ｌ、７Ｒは、ステップＳ１〜Ｓ８まで実行すると、ＥＣＵ７Ｌ、７Ｒは、ファン７３ａの作動期間を算出する（ステップＳ９ａ）。詳細には、ファン７３ａの作動期間とは、アイドル運転中におけるファン７３ａの作動期間である。図１１は、ファン７３ａの作動期間を算出するためのマップである。図１１のマップは、縦軸がファン７３ａの作動期間、横軸が第１カウンタ値Ｔ１を示している。図１１のマップは、予めＥＣＵ７Ｌ又はＥＣＵ７ＲのＲＯＭに記憶されている。図１１に示すように、第１カウンタ値Ｔ１が大きいほどファン７３ａの作動期間は長くなる。例えば、第１カウンタ値Ｔ１が、１０００、２０００、３０００、４０００の場合には、ファン７３ａの作動期間は、それぞれ、３０、６０、９０、１２０（ｓｅｃ）に設定される。【００４５】
次に、ＥＣＵ７Ｌ、７Ｒは、アイドル運転中であるか否かを判定し（ステップＳ１０）、否定判定の場合には、一連の処理を終了する。アイドル運転中の場合には、ＥＣＵ７Ｌは、モータ７３ｂに指令を出してファン７３ａの作動を実行する（ステップＳ１１）。【００４６】
このように、アイドル運転中にファン７３ａを作動させる理由は、アイドル運転中は車両が停車しているため、走行風によるラジエータ７２での冷却水の放熱が見込めない。従って、アイドル運転中にファン７３ａを作動させることにより、アイドル運転中でのラジエータ７２での冷却水の放熱を確保することができる。これにより、冷却水が、冷却装置４０Ｌ、４０Ｒに蓄熱された熱量に起因して沸騰することが防止される。【００４７】
また、ファン７３ａの作動期間を第１カウンタ値Ｔ１に応じて設定した理由は次による。前述したように第１カウンタ値Ｔ１は、排気ガスの熱量が判定値Ｄ２を超えた期間に対応している。従って、第１カウンタ値Ｔ１が大きいほど、冷却装置４０Ｌ、４０Ｒに蓄熱された熱量が大きいものと推定される。従って、冷却装置４０Ｌ、４０Ｒに蓄熱された熱量が大きいほど、冷却水が高温化しやすい状況となる。このような状況を考慮して、ファン７３ａの作動期間を設定することにより、冷却水が高温化することを防止している。また、冷却装置４０Ｌ、４０Ｒに蓄熱された熱量に応じてファン７３ａの作動期間を設定することにより、ファン７３ａの作動に伴う電力消費も可能な限り抑制できる。
【実施例４】
【００４８】
次に、実施例４の内燃機関の制御装置のＥＣＵ７Ｌ、７Ｒが実行する制御について説明する。図１２は、ＥＣＵ７Ｌ、７Ｒが実行する制御の一例を示したフローチャートである。尚、実施例４の内燃機関の制御装置は、実施例３の内燃機関の制御装置と同様に、ファン７３ａ、モータ７３ｂを備えている。【００４９】
ＥＣＵ７Ｌ、７Ｒが、ステップＳ１〜Ｓ８を実行した後、目標アイドル回転数及びファン７３ａの作動期間を算出する（ステップＳ９、Ｓ９ａ）。目標アイドル回転数及びファン７３ａの作動期間の算出は、前述したように、第１カウンタ値Ｔ１に応じて規定されたマップに基づいて算出される。次に、ＥＣＵ７Ｌ、７Ｒは、アイドル運転中であるか否かを判定し（ステップＳ１０）、肯定判定の場合には、ファン７３ａの作動を実行すると共に、エンジン１０のアイドル回転数を目標アイドル回転数になるように制御する（ステップＳ１１、Ｓ１２）。目標アイドル回転数への制御は、燃料噴射量及び吸入空気量を制御することにより行われる。【００５０】
このように、ＥＣＵ７Ｌ、７Ｒは、アイドル運転中は、ファン７３ａを作動させると同時にアイドル回転数も制御する。これにより、冷却水が高温化することを防止でき、冷却装置４０Ｌ、４０Ｒの冷却を促進することができる。【００５１】
以上本発明の好ましい実施形態について詳述したが、本発明は係る特定の実施形態に限定されるものではなく、特許請求の範囲に記載された本発明の要旨の範囲内において、種々の変形・変更が可能である。
【図１】
2010119544.tif 000003
【図２】
2010119544.tif 000004
【図３】
2010119544.tif 000005
【図４】
2010119544.tif 000006
【図５】
2010119544.tif 000007
【図６】
2010119544.tif 000008
【図７】
2010119544.tif 000009
【図８】
2010119544.tif 000010
【図９】
2010119544.tif 000011
【図１０】
2010119544.tif 000012
【図１１】
2010119544.tif 000013
【図１２】
2010119544.tif 000014
【手続補正書】
【提出日】平成22年8月10日(2010.8.10)
【手続補正１】
【補正対象書類名】特許請求の範囲
【補正対象項目名】全文
【補正方法】変更
【補正の内容】
【特許請求の範囲】
【請求項１】
冷却水が循環する経路上に設けられ前記冷却水が内部を流通することにより内燃機関の排気を冷却する冷却装置と、
前記排気の熱量を推定する推定部と、
推定された前記排気の熱量に応じて、アイドルストップ制御を禁止の可否を決定する制御部と、を備え、
前記制御部は、前記推定された排気の熱量が判定値を超えた期間に応じて、アイドル運転時の前記内燃機関の目標回転数を設定する、内燃機関の制御装置。
【請求項２】
前記制御部は、前記推定された排気の熱量が判定値を超えた場合に、前記アイドルストップ制御を禁止する、請求項１の内燃機関の制御装置。
【請求項３】
（削除）
【請求項４】
前記制御部は、前記推定された排気の熱量が判定値を超えた期間と、前記推定された排気の熱量が前記判定値未満となった期間とに応じて、前記アイドルストップ制御の禁止の可否を決定する、請求項１の内燃機関の制御装置。
【手続補正書】
【提出日】平成23年10月31日(2011.10.31)
【手続補正１】
【補正対象書類名】特許請求の範囲
【補正対象項目名】全文
【補正方法】変更
【補正の内容】
【特許請求の範囲】
【請求項１】
冷却水が循環する経路上に設けられ前記冷却水が内部を流通することにより内燃機関の排気を冷却する冷却装置と、
前記排気の熱量を推定する推定部と、
推定された前記排気の熱量に応じて、アイドルストップ制御を禁止の可否を決定する制御部と、を備え、
前記制御部は、前記推定された排気の熱量が判定値を超えた期間に応じて、アイドル運転時の前記内燃機関の目標回転数を設定する、内燃機関の制御装置。
【請求項２】
前記制御部は、前記推定された排気の熱量が判定値を超えた場合に、前記アイドルストップ制御を禁止する、請求項１の内燃機関の制御装置。
【請求項３】
前記制御部は、前記推定された排気の熱量が判定値を超えた期間と、前記推定された排気の熱量が前記判定値以下となった期間とに応じて、前記アイドルストップ制御の禁止の可否を決定する、請求項１の内燃機関の制御装置。
【手続補正２】
【補正対象書類名】明細書
【補正対象項目名】００３１
【補正方法】変更
【補正の内容】
【００３１】
ステップＳ７において、第１カウンタ値Ｔ１が判定値Ｄ３以下の場合には、ＥＣＵ７Ｌ、７Ｒは、アイドルストップ禁止フラグをオフにする（ステップＳ２３）。この場合には、冷却装置４０Ｌ、４０Ｒに蓄熱された熱量も比較的少ないものと推定され、アイドルストップ制御が実行された場合であっても冷却水は沸騰しないと推定されるからである。
【手続補正３】
【補正対象書類名】明細書
【補正対象項目名】００３２
【補正方法】変更
【補正の内容】
【００３２】
ステップＳ４において、冷却水温が判定値Ｄ１以下の場合、ＥＣＵ７Ｌ、７Ｒは、アイドルストップ禁止フラグをオフにする（ステップＳ２３）。冷却水温が、ある程度低い場合には、アイドルストップ制御が実行された場合であっても、冷却装置４０Ｌ、４０Ｒに蓄熱された熱量により冷却水が沸騰するまで高温になるおそれは少ないからである。
【手続補正４】
【補正対象書類名】明細書
【補正対象項目名】００３３
【補正方法】変更
【補正の内容】
【００３３】
ステップＳ５において、排気ガスの熱量が判定値Ｄ２以下の場合、ＥＣＵ７Ｌ、７Ｒは、アイドルストップ禁止フラグがオンであるか否かを判定する（ステップＳ２０）。否定判定の場合には、ＥＣＵ７Ｌ、７Ｒは、ステップＳ２３を実行する。肯定判定の場合、ＥＣＵ７Ｌ、７Ｒは、前回の第２カウンタ値Ｔ２に１加算したものを今回の第２カウンタ値Ｔ２として算出する（ステップＳ２１）。第２カウンタ値Ｔ２とは、排気ガスの熱量が判定値Ｄ２以下である期間を計測するために用いられる。
【手続補正５】
【補正対象書類名】明細書
【補正対象項目名】００３４
【補正方法】変更
【補正の内容】
【００３４】
次に、ＥＣＵ７Ｌ、７Ｒは、第２カウンタ値Ｔ２が判定値Ｄ４を超えているか否かを判定する（ステップＳ２２）。第２カウンタ値Ｔ２が判定値Ｄ４を超えている場合には、ＥＣＵ７Ｌ、７Ｒは、ステップＳ２３を実行する。この場合には、冷却装置４０Ｒ、４０Ｌに蓄熱された熱量は少ないと推定されるからである。第２カウンタ値Ｔ２が判定値Ｄ４以下の場合、ＥＣＵ７Ｌ、７Ｒは、アイドルストップ禁止フラグをオンにする（ステップＳ８）。この場合には、冷却装置４０Ｒ、４０Ｌに蓄熱された熱量はまだ充分にあるものと推定されるからである。第２カウンタ値Ｔ２は、排気ガスの熱量が判定値Ｄ２以下の期間と対応している。従って、推定された排気の熱量が判定値Ｄ２以下の期間と、推定された排気の熱量が判定値Ｄ２を超えた期間とに応じて、アイドルストップ制御の禁止の可否が決定される。即ち、推定された排気の熱量が判定値Ｄ２以下の期間と、推定された排気の熱量が判定値Ｄ２を超えた期間とに応じて、アイドルストップ制御の禁止の可否が決定される。これにより、エンジン１０の運転状態を考慮して、アイドルストップ制御の禁止の可否が決定される。
【手続補正６】
【補正対象書類名】明細書
【補正対象項目名】００３９
【補正方法】変更
【補正の内容】
【００３９】
次に、アイドルストップ制御が実行される場合いについて説明する。図６は、アイドルストップ制御が実行される場合のタイミングチャートである。図６に示すように、排気ガスの熱量Ｐが判定値Ｄ２を超えてその後に判定値Ｄ２以下となって停車した場合、熱量Ｐが判定値Ｄ２以下となった期間に対応した第２カウンタ値Ｔ２が判定値Ｄ４を超えている場合にはアイドルストップ制御が実行される。これにより、エンジン１０が停止しポンプ７６の作動も停止する。しかしながら、アイドルストップが実行される直前での排気ガスの熱量Ｐは、比較的小さいため、冷却装置４０Ｌ、４０Ｒに蓄熱された熱量も小さい。このため、アイドルストップ制御を実行した場合であっても、冷却水の温度上昇は僅かである。従って、このような場合には、アイドルストップ制御を実行しても冷却水は沸騰しない。アイドルストップ制御を実行することにより燃料消費量を抑制することができる。
【国際調査報告】
2010119544.tif 000015
2010119544.tif 000016